(57)【特許請求の範囲】
【請求項１】
着用者からの排泄物を受ける吸収性物品であって、  順に積層されたバックシート、吸収コアおよびトップシートを有する略シート状の本体部と、  前記本体部の幅方向の両側において前記幅方向に垂直な長手方向のほぼ全長に亘って設けられた一対の側壁部と、を備え、  前記一対の側壁部のそれぞれが、  前記長手方向の両端部において前記本体部に固定される２つの固定部と、  前記２つの固定部の間において前記２つの固定部から連続するとともに前記本体部の側方エッジよりも前記幅方向の内側から着用者側へと起立する起立部と、  前記２つの固定部の間において前記２つの固定部から連続し、前記起立部の前記着用者側の端部から前記幅方向の外側へと広がるとともに前記起立部よりも厚い平面部と、  前記平面部の前記長手方向のほぼ全長に亘って前記平面部の外縁に伸張状態にて接合され、収縮することにより前記平面部を収縮させて立体ギャザーを形成する弾性部材と、 前記平面部の前記長手方向のほぼ全長に亘って前記平面部の前記外縁よりも内側に伸張状態にて接合されたもう１つの弾性部材と、を備え、 前記起立部および前記平面部が不織布により形成されており、 前記起立部を形成する不織布が前記平面部へと連続して第１不織布層を形成し、 前記平面部が、前記第１不織布層に第２不織布層が積層された不織布積層体であり、 前記平面部において、前記もう１つの弾性部材よりも前記着用者側の厚さが、前記着用者側とは反対側の厚さよりも厚いことを特徴とする吸収性物品。
【請求項２】
請求項１に記載の吸収性物品であって、  前記平面部の前記第２不織布層が、前記起立部および前記第１不織布層を形成する前記不織布を前記平面部の前記外縁において前記着用者側とは反対側、かつ、前記幅方向の内側へと折り返すことにより形成されることを特徴とする吸収性物品。
【請求項３】
請求項２に記載の吸収性物品であって、 前記第１不織布層と前記第２不織布層とが非接合状態とされ、  前記平面部の前記外縁よりも内側において、前記第２不織布層のみに前記もう１つの弾性部材が接合されていることを特徴とする吸収性物品。
【請求項４】
着用者からの排泄物を受ける吸収性物品であって、 順に積層されたバックシート、吸収コアおよびトップシートを有する略シート状の本体部と、 前記本体部の幅方向の両側において前記幅方向に垂直な長手方向のほぼ全長に亘って設けられた一対の側壁部と、を備え、 前記一対の側壁部のそれぞれが、 前記長手方向の両端部において前記本体部に固定される２つの固定部と、 前記２つの固定部の間において前記２つの固定部から連続するとともに前記本体部の側方エッジよりも前記幅方向の内側から着用者側へと起立する起立部と、 前記２つの固定部の間において前記２つの固定部から連続し、前記起立部の前記着用者側の端部から前記幅方向の外側へと広がるとともに前記起立部よりも厚い平面部と、 前記平面部の前記長手方向のほぼ全長に亘って前記平面部の前記幅方向の中央よりも外縁側かつ前記外縁よりも内側に伸張状態にて接合され、収縮することにより前記平面部を収縮させて立体ギャザーを形成する弾性部材と、を備え、 前記起立部および前記平面部が不織布により形成されており、 前記起立部を形成する不織布が前記平面部へと連続して第１不織布層を形成し、 前記平面部が、前記第１不織布層に第２不織布層が積層された不織布積層体であり、  前記平面部において、前記弾性部材よりも前記着用者側の厚さが、前記着用者側とは反対側の厚さよりも厚いことを特徴とする吸収性物品。
【請求項５】
請求項４に記載の吸収性物品であって、  前記平面部の前記第２不織布層が、前記起立部および前記第１不織布層を形成する前記不織布を前記平面部の前記外縁において前記着用者側とは反対側、かつ、前記幅方向の内側へと折り返すことにより形成されることを特徴とする吸収性物品。
【請求項６】
請求項５に記載の吸収性物品であって、  前記第１不織布層と前記第２不織布層とが非接合状態とされ、  前記平面部の前記外縁よりも内側において、前記第２不織布層のみに前記弾性部材が接合されていることを特徴とする吸収性物品。
【請求項７】
請求項３または６に記載の吸収性物品であって、  前記第２不織布層が、前記幅方向に関して前記第１不織布層のほぼ全体と重なっており、  前記第２不織布層の前記起立部側の端部に弾性部材が接合されていることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつや下着に取り付けて使用される軽失禁パッド等の吸収性物品では、幅方向の両側において着用者に向かって起立する一対の側壁部（いわゆる、立体ギャザー）が設けられており、これにより、尿等の排泄物の漏出防止が図られている。
【０００３】
特許文献１および特許文献２は、脚周り用起立カフスを有する吸収性物品に関し、起立カフスは、起立端から吸収性物品の中央側に向かう起立部と、途中で折り返し反転して外側に向かう平面当たり部とを有する。当該吸収性物品では、起立カフスの平面当たり部を着用者の脚周りに平面的にフィットさせることにより、尿の横漏れ防止が図られている。
【特許文献１】特開２００１−２５４８５号公報
【特許文献２】特開２００１−１３７２８２号公報
【発明の開示】
【発明が解決しようとする課題】
【０００４】
ところで、特許文献１および特許文献２の吸収性物品では、起立カフスの起立部から連続する部位を外側に折り返すことにより平面当たり部が形成されているため、平面当たり部の厚さは起立部と同様であり、比較的薄くなっている。このため、平面当たり部が変形して着用者の脚周りから部分的に離間してしまい、平面部と着用者の肌との隙間から尿等が漏出する恐れがある。また、平面当たり部の折り返し部と外縁との間に設けられた弾性部材が着用者の肌に強く当たり、吸収性物品の着用感が低下してしまう。
【０００５】
本発明は、上記課題に鑑みなされたものであり、吸収性物品の一対の側壁部において、平面部の形状安定性を向上して着用者に対する密着性を向上することを主な目的としている。
【課題を解決するための手段】
【０００６】  請求項１に記載の発明は、着用者からの排泄物を受ける吸収性物品であって、順に積層されたバックシート、吸収コアおよびトップシートを有する略シート状の本体部と、前記本体部の幅方向の両側において前記幅方向に垂直な長手方向のほぼ全長に亘って設けられた一対の側壁部とを備え、前記一対の側壁部のそれぞれが、前記長手方向の両端部において前記本体部に固定される２つの固定部と、前記２つの固定部の間において前記２つの固定部から連続するとともに前記本体部の側方エッジよりも前記幅方向の内側から着用者側へと起立する起立部と、前記２つの固定部の間において前記２つの固定部から連続し、前記起立部の前記着用者側の端部から前記幅方向の外側へと広がるとともに前記起立部よりも厚い平面部と、前記平面部の前記長手方向のほぼ全長に亘って前記平面部の外縁に伸張状態にて接合され、収縮することにより前記平面部を収縮させて立体ギャザーを形成する弾性部材と、前記平面部の前記長手方向のほぼ全長に亘って前記平面部の前記外縁よりも内側に伸張状態にて接合されたもう１つの弾性部材とを備え、前記起立部および前記平面部が不織布により形成されており、前記起立部を形成する不織布が前記平面部へと連続して第１不織布層を形成し、前記平面部が、前記第１不織布層に第２不織布層が積層された不織布積層体であり、前記平面部において、前記もう１つの弾性部材よりも前記着用者側の厚さが、前記着用者側とは反対側の厚さよりも厚い。【００１０】  請求項２に記載の発明は、請求項１に記載の吸収性物品であって、前記平面部の前記第２不織布層が、前記起立部および前記第１不織布層を形成する前記不織布を前記平面部の前記外縁において前記着用者側とは反対側、かつ、前記幅方向の内側へと折り返すことにより形成される。【００１１】  請求項３に記載の発明は、請求項２に記載の吸収性物品であって、前記第１不織布層と前記第２不織布層とが非接合状態とされ、前記平面部の前記外縁よりも内側において、前記第２不織布層のみに前記もう１つの弾性部材が接合されている。【００１２】  請求項４に記載の発明は、着用者からの排泄物を受ける吸収性物品であって、順に積層されたバックシート、吸収コアおよびトップシートを有する略シート状の本体部と、前記本体部の幅方向の両側において前記幅方向に垂直な長手方向のほぼ全長に亘って設けられた一対の側壁部とを備え、前記一対の側壁部のそれぞれが、前記長手方向の両端部において前記本体部に固定される２つの固定部と、前記２つの固定部の間において前記２つの固定部から連続するとともに前記本体部の側方エッジよりも前記幅方向の内側から着用者側へと起立する起立部と、前記２つの固定部の間において前記２つの固定部から連続し、前記起立部の前記着用者側の端部から前記幅方向の外側へと広がるとともに前記起立部よりも厚い平面部と、前記平面部の前記長手方向のほぼ全長に亘って前記平面部の前記幅方向の中央よりも外縁側かつ前記外縁よりも内側に伸張状態にて接合され、収縮することにより前記平面部を収縮させて立体ギャザーを形成する弾性部材とを備え、前記起立部および前記平面部が不織布により形成されており、前記起立部を形成する不織布が前記平面部���と連続して第１不織布層を形成し、前記平面部が、前記第１不織布層に第２不織布層が積層された不織布積層体であり、前記平面部において、前記弾性部材よりも前記着用者側の厚さが、前記着用者側とは反対側の厚さよりも厚い。【００１３】  請求項５に記載の発明は、請求項４に記載の吸収性物品であって、前記平面部の前記第２不織布層が、前記起立部および前記第１不織布層を形成する前記不織布を前記平面部の前記外縁において前記着用者側とは反対側、かつ、前記幅方向の内側へと折り返すことにより形成される。【００１４】  請求項６に記載の発明は、請求項５に記載の吸収性物品であって、前記第１不織布層と前記第２不織布層とが非接合状態とされ、前記平面部の前記外縁よりも内側において、前記第２不織布層のみに前記弾性部材が接合されている。【００１５】  請求項７に記載の発明は、請求項３または６に記載の吸収性物品であって、前記第２不織布層が、前記幅方向に関して前記第１不織布層のほぼ全体と重なっており、前記第２不織布層の前記起立部側の端部に弾性部材が接合されている。
【発明の効果】
【００１６】  本発明では、吸収性物品の一対の側壁部において、平面部の形状安定性を向上して着用者に対する密着性を向上することができる。また、平面部を容易に形成することができる。さらに、吸収性物品の着用感を向上することができる。請求項７の発明では、平面部の形状安定性をより向上することができる。
【発明を実施するための最良の形態】
【００１７】
図１は、本発明の第１の実施の形態に係る吸収性物品１を示す平面図であり、図２および図３はそれぞれ、吸収性物品１を図１中に示すＡ−Ａの位置およびＢ−Ｂの位置にて吸収性物品１の長手方向（すなわち、図１中の上下方向）に垂直な面で切断した断面図である。吸収性物品１は、着用者が着用する外装物品である下着の内側において、着用者からの尿等の排泄物を受ける軽失禁パッドである。図１では、着用者に接する面（すなわち、着用者側）を手前側にして吸収性物品１を描いている。
【００１８】
図１および図２に示すように、吸収性物品１は、略シート状の本体部２、および、本体部２の長手方向に垂直な幅方向の両側において長手方向のほぼ全長に亘って設けられた一対の側壁部３を備える。吸収性物品１では、側壁部３に設けられた弾性部材が収縮することにより、本体部２の側方において側壁部３が着用者側に向かって起立し、着用時に着用者の足の付け根近傍に当接する立体ギャザーが形成される。
【００１９】
本体部２は、着用者側とは反対側から順に積層されたバックシート２３、制臭シート２４、吸収コア２２およびトップシート２１を備える。トップシート２１は、吸収体である吸収コア２２の着用者側の主面を覆い、バックシート２３は、吸収コア２２の着用者側とは反対側の主面を覆う。トップシート２１およびバックシート２３は、ホットメルト接着剤等により吸収コア２２および制臭シート２４の周囲にて互いに接合され、吸収コア２２の側方には側壁部３が接合される。図２では、図示の都合上、本体部２の各構成および側壁部３を分離して描いている（図３ないし図６、並びに、図７．Ａないし図７．Ｃにおいても同様）。
【００２０】
トップシート２１は透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２１】
吸収コア２２は、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２２】
バックシート２３は、撥水性または不透液性のプラスチックフィルムであり、トップシート２１を透過した排泄物が、本体部２の外側にしみ出すのを防止する。吸収性物品１の内側のムレを防止して着用者の快適性を向上するという観点からは、透湿性（すなわち、通気性）を有するプラスチックフィルムがバックシート２３として利用されることが好ましい。バックシート２３としては、撥水性または不透液性の不織布（例えば、スパンボンド不織布やメルトブロー不織布、ＳＭＳ不織布）や当該不織布の内側に撥水性または不透液性のプラスチックフィルムが積層された積層シートが利用されてもよい。
【００２３】
制臭シート２４は、制臭剤を含有する親水性のシート部材であり、制臭シート２４を形成する親水性繊維としては、例えば、セルロースやパルプが用いられる。制臭剤としては、好ましくは金属（例えば、銀、銅、亜鉛、鉄、ニッケルコバルト、パラジウム、白金）を担持するゼオライト等の無機多孔結晶が用いられる。
【００２４】
一対の側壁部３はそれぞれ、撥水性または不透液性の不織布により形成された側壁部本体３１、および、側壁部本体３１の後述する平面部３１３に接合された長手方向に伸びる２本の弾性部材３２ａ，３２ｂを備える。本実施の形態では、側壁部３には２本の弾性部材３２ａ，３２ｂ以外には弾性部材は設けられない。側壁部本体３１を形成する不織布としては、例えば、スパンボンド不織布やメルトブロー不織布、ＳＭＳ不織布が利用される。弾性部材３２ａ，３２ｂとしては、例えば、ポリウレタン糸、帯状のポリウレタンフィルム、糸状または帯状の天然ゴム等が用いられ、本実施の形態では、ポリウレタン糸がホットメルト接着剤により側壁部本体３１に接着される。
【００２５】
側壁部本体３１は、図３に示すように、長手方向の両端部において本体部２にヒートシールにより接合されて固定される２つの固定部３１１を有する。図１では、図の理解を容易にするために、側壁部本体３１の各固定部３１１に平行斜線を付している。なお、固定部３１１の本体部２に対する固定は、超音波接合やホットメルト接着剤による接着により行われてもよい。
【００２６】
側壁部本体３１は、また、図２に示すように、本体部２の側方エッジよりも幅方向の内側から着用者側へと起立する起立部３１２、および、起立部３１２の着用者側の端部（すなわち、図２中における上端部）３１２１から幅方向の外側へと広がる平面部３１３を備える。起立部３１２および平面部３１３はそれぞれ、２つの固定部３１１（図１参照）の間において（すなわち、長手方向の中央近傍において）長手方向に伸びるとともに２つの固定部３１１に連続している。本実施の形態では、起立部３１２は、本体部２の吸収コア２２の側方エッジよりも幅方向の内側から着用者側へと起立している。
【００２７】
起立部３１２および平面部３１３は、２つ折りにされた不織布により互いに連続して形成されており、起立部３１２は、２層の不織布により形成されている。平面部３１３は、起立部３１２を形成する不織布が起立部３１２の着用者側の端部３１２１において幅方向の外側に折り曲げられて形成された２層の不織布からなる第１不織布層３１３１、および、起立部３１２から連続する第１不織布層３１３１を第１不織布層３１３１の幅方向の外縁にて（すなわち、平面部３１３の外縁３１３３にて）着用者側とは反対側、かつ、幅方向の内側へと折り返して形成された２層の不織布からなる第２不織布層３１３２を備える。換言すれば、平面部３１３は第１不織布層３１３１に第２不織布層３１３２が積層された４層の不織布からなる不織布積層体である。側壁部３の側壁部本体３１では、上述のように、平面部３１３が４層の不織布により形成され、起立部３１２が２層の不織布により形成されるため、平面部３１３の厚さが起立部３１２よりも厚くなっている。なお、側壁部本体３１では、起立部３１２および平面部３１３を形成する２つ折りの不織布のエッジが、起立部３１２の着用者側の端部３１２１近傍に位置することにより、起立部３１２が１層の不織布により形成されてもよい。
【００２８】
平面部３１３では、第２不織布層３１３２が、幅方向に関して第１不織布層３１３１のほぼ全体と重なっており、第２不織布層３１３２の内縁３１３４（すなわち、起立部３１２側の端部）は、起立部３１２の端部３１２１近傍に位置する。本実施の形態では、第１不織布層３１３１と第２不織布層３１３２とが、互いに接合されていない非接合状態とされており、第１不織布層３１３１と第２不織布層３１３２との間には僅かな隙間が設けられている。
【００２９】
図１および図２に示すように、弾性部材３２ａは、平面部３１３の外縁３１３３（すなわち、第１不織布層３１３１と第２不織布層３１３２との間の境界であり、第１不織布層３１３１および第２不織布層３１３２の外縁でもある。）において、２層の不織布の間に平面部３１３の長手方向のほぼ全長に亘って接合されている。また、弾性部材３２ｂは、平面部３１３の第２不織布層３１３２の内縁３１３４近傍において、第２不織布層３１３２を形成する２層の不織布の間に、平面部３１３の長手方向のほぼ全長に亘って接合されている。換言すれば、弾性部材３２ｂは、平面部３１３の外縁３１３３および弾性部材３２ａよりも内側において第２不織布層３１３２のみに接合されている。
【００３０】
平面部３１３では、弾性部材３２ｂが、着用者側の３層の不織布（すなわち、第１不織布層３１３１の２層の不織布と第２不織布層３１３２の第１不織布層３１３１側の不織布）および着用者側とは反対側の１層の不織布（すなわち、第２不織布層３１３２の第１不織布層３１３１とは反対側の不織布）により挟まれているため、弾性部材３２ｂよりも着用者側の厚さが、着用者側とは反対側の厚さよりも厚くなっている。
【００３１】
図１に示す吸収性物品１が着用者に装着される際には、各側壁部３において伸張状態にて平面部３１３に接合された弾性部材３２ａ，３２ｂが収縮することにより、２つの固定部３１１の間にて平面部３１３が収縮して立体ギャザーが形成され、立体ギャザーの着用者側の面（すなわち、図２に示す平面部３１３の第１不織布層３１３１）が、着用者の足の付け根近傍の肌に対向する。そして、平面部３１３が足の付け根近傍の部位の形状に沿って変形しつつ第１不織布層３１３１が足の付け根近傍の肌に密着する。
【００３２】
このように、一対の側壁部３のそれぞれが、起立部３１２の端部３１２１に設けられた幅が大きい平面部３１３にて着用者の肌に密着することにより、尿等の排泄物が起立部３１２の端部３１２１に到達した場合であっても、平面部３１３よりも外側に排泄物が移動して吸収性物品１から漏出することが防止される。吸収性物品１では、各側壁部３において、側壁部本体３１の平面部３１３の厚さが起立部３１２の厚さよりも厚くされることにより、平面部３１３の形状安定性を向上して着用者に対する平面部３１３の密着性を向上することができる。その結果、側壁部３からの排泄物の漏出（いわゆる、横漏れ）がより確実に防止される。
【００３３】
側壁部３では、起立部３１２と連続する不織布により形成された第１不織布層３１３１に第２不織布層３１３２が積層されることにより、平面部３１３が容易に形成される。また、第２不織布層３１３２が、第１不織布層３１３１と連続する不織布を着用者側とは反対側、かつ、幅方向の内側へと折り返して形成されることにより、平面部３１３をより容易に形成することができる。
【００３４】
側壁部３では、平面部３１３の外縁３１３３よりも内側（すなわち、弾性部材３２ａよりも内側）の部位に弾性部材３２ｂが接合されることにより、平面部３１３に弾性部材３２ａのみが接合される場合に比べて、平面部３１３の形状安定性がより向上され、着用者に対する平面部３１３の密着性をさらに向上することができる。
【００３５】
平面部３１３では、弾性部材３２ｂよりも着用者側の厚さが、着用者側とは反対側の厚さよりも厚くされることにより、弾性部材３２ｂにより着用者の肌がきつく圧迫されることが防止され、吸収性物品１の着用感を向上することができる。また、平面部３１３の外縁３１３３よりも内側において、第１不織布層３１３１には弾性部材が接合されず、第２不織布層３１３２のみに弾性部材３２ｂが接合されることにより、第１不織布層３１３１の柔軟性が向上されるとともに弾性部材３２ｂによる圧迫がより低減されるため、吸収性物品１の着用感をより一層向上することができる。さらに、弾性部材３２ｂが接合された第２不織布層３１３２が、着用者の肌に接する第１不織布層３１３１と非接合状態とされることにより、第１不織布層３１３１の柔軟性がより向上されるとともに弾性部材３２ｂによる圧迫がさらに低減されて吸収性物品１の着用感がさらに向上される。
【００３６】
平面部３１３では、第２不織布層３１３２に弾性部材３２ｂが接合されることにより、第１不織布層３１３１と非接合状態の第２不織布層３１３２が、第１不織布層３１３１から垂れ下がって必要以上に大きく離間してしまうことが防止される。その結果、平面部３１３の形状安定性をさらに向上することができ、着用者に対する平面部３１３の密着性がより向上される。また、第２不織布層３１３２が、幅方向に関して第１不織布層３１３１のほぼ全体と重なっており、弾性部材３２ｂが第２不織布層３１３２の起立部３１２側の端部である内縁３１３４に位置することにより、平面部３１３のほぼ全体が起立部３１２よりも厚くなるとともに平面部３１３の幅方向の両縁が弾性部材３２ａ，３２ｂにより支持されることとなる。その結果、平面部３１３の形状安定性がより一層向上され、着用者に対する平面部３１３の密着性をさらに向上することができる。
【００３７】
次に、本発明の第２の実施の形態に係る吸収性物品について説明する。図４は、第２の実施の形態に係る吸収性物品１ａの一部を示す断面図である。図４では、図１中のＡ−Ａの位置に対応する位置にて吸収性物品１ａを切断した断面の右半分を示しており、図示を省略している吸収性物品１ａの左半分も右半分と同様の構造を有する（図５ないし図７．Ｃにおいても同様）。図４に示すように、吸収性物品１ａでは、側壁部３の平面部３１３において弾性部材３２ａが接合される位置が、図２に示す吸収性物品１と異なる。その他の構成は第１の実施の形態と同様であり、以下の説明において同符号を付す。
【００３８】
図４に示すように、吸収性物品１ａの各側壁部３では、弾性部材３２ａが、平面部３１３の外縁３１３３よりも内側、かつ、平面部３１３の幅方向の中央よりも外縁３１３３側において、第２不織布層３１３２の２層の不織布の間に、平面部３１３の長手方向のほぼ全長に亘って接合される。また、弾性部材３２ｂは、第１の実施の形態と同様に、平面部３１３の第２不織布層３１３２の内縁３１３４近傍において、第２不織布層３１３２を形成する２層の不織布の間に、平面部３１３の長手方向のほぼ全長に亘って接合されている。すなわち、平面部３１３では、外縁３１３３よりも内側において、第２不織布層３１３２のみに２本の弾性部材３２ａ，３２ｂが接合され、第２不織布層３１３２と非接合状態とされる第１不織布層３１３１には弾性部材は接合されない。
【００３９】
平面部３１３では、弾性部材３２ａ，３２ｂが、第１の実施の形態に係る吸収性物品１の弾性部材３２ｂと同様に、着用者側の３層の不織布および着用者側とは反対側の１層の不織布により挟まれているため、弾性部材３２ａよりも着用者側の厚さが、着用者側とは反対側の厚さよりも厚くなっており、弾性部材３２ｂよりも着用者側の厚さが、着用者側とは反対側の厚さよりも厚くなっている。
【００４０】
第２の実施の形態に係る吸収性物品１ａでは、第１の実施の形態と同様に、一対の側壁部３のそれぞれが、起立部３１２の端部３１２１に設けられた幅が大きい平面部３１３にて着用者の肌に密着することにより、側壁部３からの排泄物の漏出（いわゆる、横漏れ）が防止される。また、各側壁部３において、側壁部本体３１の平面部３１３の厚さが起立部３１２の厚さよりも厚くされることにより、平面部３１３の形状安定性を向上して着用者に対する平面部３１３の密着性を向上することができ、その結果、側壁部３からの排泄物の漏出がより確実に防止される。
【００４１】
側壁部３では、起立部３１２と連続する不織布により形成された第１不織布層３１３１に第２不織布層３１３２が積層されることにより、平面部３１３が容易に形成される。また、第２不織布層３１３２が、第１不織布層３１３１と連続する不織布を平面部３１３の外縁３１３３において着用者側とは反対側、かつ、幅方向の内側へと折り返して形成されることにより、平面部３１３をより容易に形成することができる。
【００４２】
平面部３１３では、弾性部材３２ａ，３２ｂよりも着用者側の厚さが、着用者側とは反対側の厚さよりも厚くされることにより、弾性部材３２ａ，３２ｂにより着用者の肌がきつく圧迫されることが防止され、吸収性物品１ａの着用感を向上することができる。また、平面部３１３の外縁３１３３よりも内側において、第１不織布層３１３１には弾性部材が接合されず、第２不織布層３１３２のみに弾性部材３２ａ，３２ｂが接合されることにより、第１不織布層３１３１の柔軟性が向上されるとともに弾性部材３２ａ，３２ｂによる圧迫がより低減されるため、吸収性物品１ａの着用感をより一層向上することができる。さらに、弾性部材３２ａ，３２ｂが接合された第２不織布層３１３２が、着用者の肌に接する第１不織布層３１３１と非接合状態とされることにより、第１不織布層３１３１の柔軟性がより向上されるとともに弾性部材３２ａ，３２ｂによる圧迫がさらに低減されて吸収性物品１ａの着用感がさらに向上される。
【００４３】
以上、本発明の実施の形態について説明してきたが、本発明は上記実施の形態に限定されるものではなく、様々な変更が可能である。
【００４４】  上記実施の形態に係る吸収性物品の側壁部３では、第２不織布層３１３２の幅が第１不織布層３１３１の幅よりも大幅に小さくされてもよい。例えば、第２不織布層３１３２の幅が第１不織布層３１３１の幅の半分程度まで小さく、第２不織布層３１３２が第１不織布層３１３１から必要以上に大きく離間しない場合は、平面部３１３の少なくとも幅方向の中央よりも外縁３１３３側かつ外縁３１３３よりも内側に弾性部材３２ａが設けられ、弾性部材３２ｂは省略されてもよい。このように、平面部３１３に１本の弾性部材３２ａのみが設けられる場合であっても、平面部３１３が起立部３１２よりも厚くされることにより平面部３１３の形状安定性を向上することができる。【００４５】
また、図５に示すように、平面部３１３では、外縁３１３３に設けられた弾性部材３２ａ以外に、長手方向に伸びる２本以上の弾性部材（図５中では、第２不織布層３１３２の内縁３１３４に設けられた１本の弾性部材３２ｂ、および、弾性部材３２ａ，３２ｂ間に配置される３本の弾性部材３２ｃ）が設けられてもよい。さらには、図６に示すように、平面部３１３の外縁３１３３から第２不織布層３１３２の２層の不織布の間へと広がる帯状の弾性部材３２ｄが平面部３１３に設けられてもよい。
【００４６】
側壁部３では、平面部３１３の第１不織布層３１３１および第２不織布層３１３２は必ずしも連続する不織布により形成される必要はなく、例えば、図７．Ａに示す吸収性物品１ｂのように、起立部３１２と連続する第１不織布層３１３１の着用者側とは反対側に、第１不織布層３１３１とは独立する２層の不織布（すなわち、２つ折りにされた不織布）により形成される第２不織布層３１３２ａが接合されることにより平面部３１３が形成されてもよい。
【００４７】
また、図７．Ｂに示す吸収性物品１ｃのように、起立部３１２ａおよび起立部３１２ａと連続する第１不織布層３１３１ａが１層の不織布により形成され、第１不織布層３１３１ａの着用者側に、弾性部材３２ａ，３２ｂを間に挟んで第１不織布層３１３１ａよりも厚い１層の不織布により形成された第２不織布層３１３２ｂが接合されることにより平面部３１３が形成されてもよい。
【００４８】  図７．Ａおよび図７．Ｂに示す吸収性物品１ｂおよび吸収性物品１ｃのどちらの場合であっても、各側壁部３において、平面部３１３の厚さが起立部の厚さよりも厚くされることにより、平面部３１３の形状安定性を向上して着用者に対する平面部３１３の密着性を向上することができ、その結果、側壁部３からの排泄物の漏出がより確実に防止される。また、弾性部材３２ａ，３２ｂよりも着用者側の厚さが、着用者側とは反対側の厚さよりも厚くされることにより、弾性部材３２ａ，３２ｂにより着用者の肌がきつく圧迫されることが防止され、吸収性物品１ｂ，１ｃの着用感を向上することができる。【００４９】 図７．Ｃは、本発明に関連する技術に係る吸収性物品を示す図である。図７．Ｃに示す吸収性物品１ｄでは、第１不織布層３１３１の着用者側およびその反対側を覆うように２つ折りにされた１枚の不織布である第２不織布層３１３２ｃが第１不織布層３１３１に接合されることにより平面部３１３が形成される。この場合も、各側壁部３において、平面部３１３の厚さが起立部３１２の厚さよりも厚くされることにより、平面部３１３の形状安定性を向上して着用者に対する平面部３１３の密着性を向上することができる。【００５１】
上記実施の形態に係る吸収性物品の構造は、軽失禁パッド以外にも、使い捨ておむつや使い捨ておむつの着用者側に取り付けて使用される補助吸収具、あるいは、生理用ナプキンやパンティライナー等の様々な吸収性物品に適用されてよい。
【図面の簡単な説明】
【００５２】
【図１】第１の実施の形態に係る吸収性物品の平面図である。
【図２】吸収性物品の断面図である。
【図３】吸収性物品の断面図である。
【図４】第２の実施の形態に係る吸収性物品の断面図である。
【図５】吸収性物品の他の例を示す断面図である。
【図６】吸収性物品の他の例を示す断面図である。
【図７．Ａ】吸収性物品の他の例を示す断面図である。
【図７．Ｂ】吸収性物品の他の例を示す断面図である。
【図７．Ｃ】関連技術に係る吸収性物品を示す断面図である。
【符号の説明】
【００５３】
１，１ａ〜１ｄ    吸収性物品
２    本体部
３    側壁部
２１    トップシート
２２    吸収コア
２３    バックシート
３２ａ〜３２ｄ    弾性部材
３１１    固定部
３１２，３１２ａ    起立部
３１３    平面部
３１２１    端部
３１３１，３１３１ａ    第１不織布層
３１３２，３１３２ａ〜３１３２ｃ    第２不織布層
３１３３    外縁
３１３４    内縁
【図１】
0005052993.tif 000002
【図２】
0005052993.tif 000003
【図３】
0005052993.tif 000004
【図４】
0005052993.tif 000005
【図５】
0005052993.tif 000006
【図６】
0005052993.tif 000007
【図７．Ａ】
0005052993.tif 000008
【図７．Ｂ】
0005052993.tif 000009
【図７．Ｃ】
0005052993.tif 000010